(57)【要約】  【課題】電力線の配線を簡単化しつつ、流動点滅が経路案内であることを明確に認識させて、非常時においてすみやかに避難誘導できるようにする。  【解決手段】電力線２１に対して、制御装置４１と、通路に沿って配設された複数の灯具Ｇａからなる灯具群Ｇ１が接続される。制御装置４１は、電力線２１を介して複数の灯具Ｇａに対して点灯制御信号を出力して、複数の灯具Ｇａの点灯態様として平時誘導用と避難誘導用とが選択可能とされる。複数の灯具Ｇａはそれぞれ、電力線２１に重畳された点灯制御信号に基づいて発光部２８の点灯態様を切換え制御する制御部ＲＣを有する。平時誘導の点灯態様は、複数の灯具Ｇａが、所定の移動方向（例えば観覧順となる方向や、一方通行方向等）に向けて流動点滅される。避難誘導用の点灯態様は、複数の灯具Ｇａが、避難口に向けて誘導するように流動点滅される。【選択図】  図１
2018156221.tif 000002
【特許請求の範囲】
【請求項１】
電力線に接続されると共に通路に沿って配設された複数の灯具と、
前記電力線を介して該複数の灯具に対して点灯制御信号を出力して、前記複数の灯具の点灯態様の切換えを指令するための制御装置と、
異常を検知する異常検出装置と、
を有し、
前記複数の灯具はそれぞれ、電力を受けて発光される発光部の他に、前記電力線に重畳された前記点灯制御信号に基づいて該発光部の点灯態様を切換える制御部を有し、
前記点灯制御信号に基づいて切換えられる前記複数の灯具の点灯態様として、前記通路に設定された所定の移動方向に向けて流動点滅される平時誘導用と、該通路に設けられた避難口に向けて流動点滅される避難誘導用とが設定されており、
前記異常検出装置によって異常が検出された場合に、前記制御装置が前記複数の灯具を前記避難誘導用の点灯態様で制御する、
ことを特徴とする電力線搬送通信を利用した群集誘導システム。
【請求項２】
前記点灯制御信号が、前記複数の灯具を識別する識別情報を含むものとされ、
前記制御部はそれぞれ、前記電力線に重畳された前記点灯制御信号を検出する検出部と、前記識別情報を記憶する記憶部と、前記発光部の点灯と消灯とを切換える切換部と、を有しており、
前記切換部は、前記検出部が検出した前記点灯制御信号の中に前記記憶部に記憶されている識別情報が含まれているときに、該点灯制御信号に基づいて前記発光部の点灯と消灯とを切換える、
ことを特徴とする請求項１に記載の電力線搬送通信を利用した群集誘導システム。
【請求項３】
前記通路が、施設内の通路とされ、
前記平時誘導用の点灯態様においては、前記複数の灯具が施設の入場経路または退場経路の少なくとも一方の経路誘導を行うようにされている、
ことを特徴とする請求項１または請求項２に記載の電力線搬送通信を利用した群集誘導システム。
【請求項４】
前記通路が、施設における巡回経路とされ、
前記平時誘導用の点灯態様においては、前記複数の灯具が前記巡回経路の巡回方向に向かうように流動点滅される、
ことを特徴とする請求項１または請求項２に記載の電力線搬送通信を利用した群集誘導システム。
【請求項５】
前記通路が、一方通行路または対面通行路とされ、
前記平時誘導用の点灯態様においては、前記複数の灯具が、前記通路に設定された通行すべき方向に向かうように流動点滅される、
ことを特徴とする請求項１または請求項２に記載の電力線搬送通信を利用した群集誘導システム。
【請求項６】
前記複数の灯具が、前記通路の天井面、側壁面、歩行面、手摺りの少なくとも１つに設けられている、ことを特徴とする請求項１ないし請求項５のいずれか１項に記載の電力線搬送通信を利用した群集誘導システム。
【請求項７】
前記複数の灯具が、前記通路に設けた手摺り内に、該手摺の長手方向に間隔をあけて配設され、
前記電力線が、前記複数の灯具における前記発光部および前記制御部と共に、前記手摺り内に配設され、
前記電力線に対する前記複数の灯具の接続が、前記手摺り内において行われている、
ことを特徴とする請求項１ないし請求項６のいずれか１項に記載の電力線搬送通信を利用した群集誘導システム。
【請求項８】
前記制御装置は、前記避難誘導用の点灯態様のときは、前記平時誘導用の点灯態様のときに比して、流動点滅による移動速度が異なるように前記点灯制御信号を出力する、ことを特徴とする請求項１ないし請求項７のいずれか１項に記載の電力線搬送通信を利用した群集誘導システム。
【請求項９】
前記点灯制御信号に基づいて切換えられる前記複数の灯具の点灯態様として、さらに、消灯と照明との少なくとも一方が設定されている、ことを特徴とする請求項１ないし請求項８のいずれか１項に記載の電力線搬送通信を利用した群集誘導システム。
【発明の詳細な説明】
【技術分野】
【０００１】
本発明は、複数の灯具の流動点滅により経路誘導するようにした電力線搬送通信を利用した群集誘導システムに関するものである。
【背景技術】
【０００２】
地下街、劇場、公共施設等、多くの人が訪れる場所においては、火災等の非常事態が発生したときに、避難口に向けて誘導（経路案内）することが要求される。
【０００３】
特許文献１には、通路にライン状に配設された複数の灯具を流動点滅させる（複数の灯具の順次点灯あるいは順次消灯を繰り返し行う）ことによって、避難口の方向へ誘導することが提案されている。すなわち、流動点滅は、通路にライン状に配設された複数の灯具において、点灯（あるいは消灯）される灯具が避難方向へ向けて順次変更されることにより、避難方向を示している。また、特許文献１には、異なる場所に設置した複数の異常検知センサを設けて、異常を検出した異常検知センサの位置に応じて、流動点滅による誘導方向を変更することも開示されている。
【０００４】
特許文献２には、手摺りの中に複数の光源ユニットを配設した手摺り照明が開示されており、電力線を手摺りの中に配設する具体的構造が開示されている。なお、特許文献２においては、流動点滅による誘導については開示されていない。
【先行技術文献】
【特許文献】
【０００５】
【特許文献１】特開２０１５−２２７１４号公報
【特許文献２】特開２０１２−６２６４４号公報
【発明の概要】
【発明が解決しようとする課題】
【０００６】
ところで、通路にライン状に配設された複数の灯具による流動点滅を利用した避難誘導（経路案内）は、多くの人に周知されているとは言えない、というのが実情である。つまり、非常時（異常時）において、複数の灯具の流動点滅により避難誘導しようとしても、人によっては避難誘導とは認識しないで、流動点滅により示す避難方向とは別の方向へ移動してしまうことが想定される。特に、最近では、多くの場所において、イルミネーションの点滅による装飾が行われていることから、上述の避難方向を示す流動点滅もイルミネーションの一種と思われてしまう傾向もあり、この点においてなんらかの対策が望まれるものである。
【０００７】
また、特許文献１に記載の流動点滅を利用した避難誘導を、特許文献２に記載のように手摺り内に配設された複数の灯具を利用し、光源ユニット単位で順次点灯あるいは順次消灯を繰り返す流動点滅を行うことが考えられる。この場合、単位制御装置と複数の光源ユニットとの配線を光源ユニット毎に別個の電力線でもって接続することから、必要となる電力線の配線が極めて複雑なものとなり、さらに電力線を狭いスペースに収めるのが困難であるという問題が生じる。また、光源ユニットの数を増減する等の場合にも、電力線の配線を変更しなければならず、融通性の点においても問題となる。
【０００８】
本発明は以上のような事情を勘案してなされたもので、その目的は、電力線の配線を極力簡単にしつつ、非常時において複数の灯具による流動点滅が避難誘導であることを明確に認識させて、流動点滅により示す避難方向に避難誘導できるようにした群集誘導システムを提供することにある。
【課題を解決するための手段】
【０００９】
前記目的を達成するため、本発明にあっては次のような解決手法を採択してある。すなわち、電力線搬送通信を利用した群集誘導システムであって、
電力線に接続されると共に通路に沿って配設された複数の灯具と、
前記電力線を介して該複数の灯具に対して点灯制御信号を出力して、前記複数の灯具の点灯態様の切換えを指令するための制御装置と、
異常を検知する異常検出装置と、
を有し、
前記複数の灯具はそれぞれ、電力を受けて発光される発光部の他に、前記電力線に重畳された前記点灯制御信号に基づいて該発光部の点灯態様を切換える制御部を有し、
前記点灯制御信号に基づいて切換えられる前記複数の灯具の点灯態様として、前記通路に設定された所定の移動方向に向けて流動点滅される平時誘導用と、該通路に設けられた避難口に向けて流動点滅される避難誘導用とが設定されており、
前記異常検出装置によって異常が検出された場合に、前記制御装置が前記複数の灯具を前記避難誘導用の点灯態様で制御する、
ようにしてある。
【００１０】
上記解決手法によれば、通常時には平時誘導用の点灯態様とすることにより、流動点滅が誘導つまり経路案内であることを人々に明確に認識させることができ、したがって、火災発生等の異常時に避難誘導用の点灯態様とした際に、流動点滅が避難経路案内であるということが人々に明確に認識されて、すみやかに避難口に向けて避難誘導することが可能となる。また、電力線通信を利用して各灯具の点灯・消灯を切換えるので、従来のように制御装置と複数の灯具との配線を灯具毎に別個の電力線でもって接続する必要がなく、    配線を大幅に省略することができ、また灯具の数の増減等を行う際に、配線の大幅な変更を伴うことなく容易に対応できる。
【００１１】
異常検出装置によって異常が検出された場合に、制御装置が複数の灯具を避難誘導用の点灯態様で制御する。例えば、異常検出装置によって異常が検出された場合に、異常検知を示す信号が制御装置に送信され、制御装置がこの信号の受信を契機に自動的に避難誘導用の点灯態様を開始するようにしてもよい。これにより、異常発生の際、すみやかに避難誘導を開始することができる。あるいは、異常検出装置によって異常が検出された場合に、管理者が異常の状況を確認して所定のスイッチ操作をすることにより、制御装置が複数の灯具を避難誘導用の点灯態様で制御するようにしてもよい。これにより、異常検出装置の誤検知や軽微な異常発生の際に、不要な避難誘導を行わないようにすることができる。
【００１２】
上記解決手法を前提とした好ましい態様は、次のとおりである。
【００１３】
上記の電力線搬送通信を利用した群集誘導システムは、
前記点灯制御信号が、前記複数の灯具を識別する識別情報を含むものとされ、
前記制御部はそれぞれ、前記電力線に重畳された前記点灯制御信号を検出する検出部と、前記識別情報を記憶する記憶部と、前記発光部の点灯と消灯とを切換える切換部と、を有しており、
前記切換部は、前記検出部が検出した前記点灯制御信号の中に前記記憶部に記憶されている識別情報が含まれているときに、該点灯制御信号に基づいて前記発光部の点灯と消灯とを切換える、
ようにすることができる。この場合、灯具を増減したり点灯態様の増減を含む変更を行う際に、制御装置側での識別情報の変更や追加、削除によって容易に対応することができる。
【００１４】
上記の電力線搬送通信を利用した群集誘導システムは、
前記通路が、施設内の通路とされ、
前記平時誘導用の点灯態様においては、前記複数の灯具が施設の入場経路または退場経路の少なくとも一方の経路誘導を行うようにされている、
ようにすることができる。この場合、流動点滅によって入場経路あるいは退場経路について経路案内されていることが人々に強く認識されるので、異常時に避難誘導用の流動点滅へと切換えられたときに、流動点滅を利用した避難誘導がより確実に行われることになる。
【００１５】
上記の電力線搬送通信を利用した群集誘導システムは、
前記通路が、施設における巡回経路とされ、
前記平時誘導用の点灯態様においては、前記複数の灯具が前記巡回経路の巡回方向に向かうように流動点滅される、
ようにすることができる。この場合、平時誘導用の流動点滅によって経路案内されていることが人々に強く認識されるので、異常時に避難誘導用の流動点滅へと切換えられたときに、流動点滅を利用した避難誘導がより確実に行われることになる。
【００１６】
上記の電力線搬送通信を利用した群集誘導システムは、
前記通路が、一方通行路または対面通行路とされ、
前記平時誘導用の点灯態様においては、前記複数の灯具が、前記通路に設定された通行すべき方向に向かうように流動点滅される、
ようにすることができる。この場合、平時誘導用の流動点滅によって進行すべき方向に案内されていることが人々に強く認識されるので、異常時に避難誘導用の流動点滅へと切換えられたときに、流動点滅を利用した避難誘導がより確実に行われることになる。
【００１７】
上記の電力線搬送通信を利用した群集誘導システムは、
前記複数の灯具が、前記通路の天井面、側壁面、歩行面、手摺りの少なくとも１つに設けられている、ようにすることができる。この場合、流動点滅により経路案内する際の灯具の具体的な配設位置が提供される。
【００１８】
上記の電力線搬送通信を利用した群集誘導システムは、
前記複数の灯具が、前記通路に設けた手摺り内に、該手摺の長手方向に間隔をあけて配設され、
前記電力線が、前記複数の灯具における前記発光部および前記制御部と共に、前記手摺り内に配設され、
前記電力線に対する前記複数の灯具の接続が、前記手摺り内において行われている、
ようにすることができる。この場合、手摺り内のスペースを有効に利用して、複数の灯具および電力線を配設することができる。特に、電力線は手摺り内に配設されるので、電力線を覆うカバー部材を別途設けることなく、外観上の見栄えを確保する上でも好ましいものとなる。
【００１９】
上記の電力線搬送通信を利用した群集誘導システムにおいて、
前記制御装置は、前記避難誘導用の点灯態様のときは、前記平時誘導用の点灯態様のときに比して、流動点滅による移動速度が異なるように前記点灯制御信号を出力する、ようにすることができる。避難誘導用の点灯態様を平時誘導用の点滅態様よりも速くした場合、平時誘導の際には進行を急がせないようにしつつ、避難誘導の際には急いで避難することを促すことができる。あるいは、避難誘導用の点灯態様を平時誘導用の点滅態様よりも遅くした場合、異常発生の際、慌てずに落ち着いて避難するように避難者を誘導することができる。
【００２０】
上記の電力線搬送通信を利用した群集誘導システムは、
前記点灯制御信号に基づいて切換えられる前記複数の灯具の点灯態様として、さらに、消灯と照明との少なくとも一方が設定されている、ようにすることができる。この場合、平時誘導や避難誘導を必要としないときに、灯具を照明用として有効に利用したり、あるいは消灯して不必要に電力消費してしまう事態を防止する上で好ましいものとなる。
【発明の効果】
【００２１】
本発明によれば、通常時に複数の灯具に平時誘導用の点灯態様で流動点滅させることにより、流動点滅が経路案内であることを人々に明確に認識させることができ、異常時に複数の灯具に避難誘導用の点灯態様で流動点滅させる場合に、流動点滅が避難経路案内であることを人々に明確に認識されて、すみやかに避難口に向けて避難誘導することが可能となる。また、電力線通信を利用して各灯具の点灯・消灯を切換えるので、従来のように制御装置と複数の灯具との配線を灯具毎に別個の電力線でもって接続する必要がなく、配線を大幅に簡略化できるのは勿論のこと、電力線を狭いスペースにも容易に収めることができ、さらに灯具の数の増減等にも容易に対応することができる。
【図面の簡単な説明】
【００２２】
【図１】電力線通信を利用した制御系統例を示す系統図。
【図２】複数の灯具を通路に沿って配設する一例を示す図。
【図３】流動点滅により出口へ向けて誘導する例を示す平面図。
【図４】図３に対応した図で、流動点滅により避難口に向けて誘導する例を示す図。
【図５】流動点滅により観覧順路を案内する例を示す平面図。
【図６】図５に対応した図で、流動点滅により最寄りの避難口に向けて誘導する例を示す図。
【図７】流動点滅により右側通行であることを案内する例を示す平面図。
【図８】図７に対応した図で、流動点滅により最寄りの非常階段に向けて案内する例を示す図。
【図９】複数の灯具が配設された手摺りの一例を示す側面図。
【図１０】図９の一部断面側面図。
【図１１】図９の要部拡大断面図。
【発明を実施するための形態】
【００２３】
本発明に係る群集誘導システムについて、まず、図１を参照しつつ、電力線を利用して複数の灯具を点灯制御する系統例について説明する。図１中、Ｇ１、Ｇ２、Ｇ３は灯具群である。各灯具群Ｇ１〜Ｇ３はそれぞれ、通路に沿ってライン状に配設された複数の灯具Ｇａによって構成されている。なお、図１では、灯具群としてＧ１〜Ｇ３の３群設けた場合を示しているが、灯具群の数は１群、２群、あるいは４群以上とすることもできる。
【００２４】
各灯具群Ｇ１〜Ｇ３に対する電力線が符号２１〜２３で示される。すなわち、灯具群Ｇ１に対する電力線２１は、電源コンセント３１に電気コード（電力線）を接続した制御装置４１から伸びていて、この電力線２１に対して、灯具群Ｇ１を構成する複数の灯具Ｇａが並列に接続されている。同様に、灯具群Ｇ２に対する電力線２２は、電源コンセント３２に電気コード（電力線）を接続した制御装置４２から伸びていて、この電力線２２に対して、灯具群Ｇ２を構成する複数の灯具Ｇａが並列に接続されている。また、灯具群Ｇ３に対する電力線２３は、電源コンセント３３に電気コード（電力線）を接続した制御装置４３から伸びていて、この電力線２３に対して、灯具群Ｇ３を構成する複数の灯具Ｇａが並列に接続されている。なお、各電力線２１〜２３は、実際には他方の電力線と共に２本で対となるものであるが、簡単化のために対となる他方の電力線は図示を略してある。
【００２５】
上記各電源コンセント３１〜３３は、共通の電力線２４に対して並列に接続されている。なお、電力線２１〜２３（つまり電源コンセント３１、３３）を複数設けたのは、電源容量の関係である。
【００２６】
制御装置４１はマスターとなる制御装置であり、制御装置４２および４３はスレーブとなる制御装置である。この制御装置４１〜４３によって、各灯具Ｇａが後述するように点灯制御される。この点灯制御のために、各制御装置４１〜４３からは、点灯制御信号が電力線２１〜２４に対して出力される（点灯制御信号が電力に対して重畳される）。
【００２７】
各灯具Ｇａは、電力を受けて発光される発光部２８（本実施形態では複数のＬＥＤにより構成）の他、制御部ＲＣを有する。制御部ＲＣは、大別して、電力線２１〜２４に重畳された点灯制御信号を検出する検出部と、個々の灯具Ｇａの識別情報（アドレス情報）を記憶した記憶部と、発光部２８の点灯制御（発光部２８に対する電力の供給または遮断）を行う切換部（駆動部）と、を有する。
【００２８】
上記制御部ＲＣの制御内容について、灯具群Ｇ１（を構成する灯具Ｇａ）に着目して説明する。まず、制御装置４１から出力される点灯制御信号は、少なくとも、他の制御装置４２、４３との同期をとるための同期信号の他、点灯させる（あるいは消灯させる）個々の灯具Ｇａの識別情報（アドレス）と、どのタイミングでどの灯具Ｇａを点灯させるか（または消灯させるか）の情報を含むものとなる。
【００２９】
上記のような複数の情報を含む点灯制御信号が、電力線２１に重畳されて、個々の灯具Ｇａにおける制御部ＲＣの検出部で検出される。そして、点灯制御信号に含まれる灯具の識別情報が、記憶部に記憶されている識別情報と合致するときは、切換部が、点灯制御信号に含まれる点灯制御情報に応じて、その発光部２８を点灯あるいは消灯させる。他の灯具群Ｇ２、Ｇ３においても同様のことが行われる。
【００３０】
異常事態（非常事態）となる火災が発生したことを検出するため、建屋内に配設された複数の火災検知センサ５１が火災報知器５２に接続されている。この火災報知器５２に対して、マスターとなる制御装置４１が、移報装置５３を介して接続されている。火災検知センサ５１が火災を検知したときに、火災報知器５２からの火災発生を示す信号が、移報装置５３に入力される。そして、手動スイッチ５４の操作によって該信号が移報装置５３から制御装置４１に入力され、制御装置４１が複数の灯具Ｇａを避難誘導用の点灯態様で制御する。
【００３１】
マスターとなる制御装置４１は、複数の点灯態様を記憶していて、各灯具群Ｇ１〜Ｇ３を点灯制御する。複数の点灯態様として、実施形態では、平時誘導用の点灯態様と避難誘導用の点灯態様と照明のための点灯態様と消灯のための点灯態様との４種類が設定されている。平時誘導用の点灯態様は、平時（通常時）での経路案内用であり、通路に沿って配設された複数の灯具Ｇａを、所定の案内方向に向かって流動点滅を行う（順次点灯あるいは順次消灯を繰り返し行う）。
【００３２】
避難誘導用の点灯態様は、通路に設けられた複数の避難口のうち、最寄りの避難口に向けて順次点灯される避難経路案内用とされる。さらに、照明のための点灯態様は、通路の照明用とされる（複数の灯具Ｇａのうち点灯される灯具は固定状態）。消灯のための点灯態様は、避難誘導以外のときで、照明や平時誘導が不要な時間帯において選択される。
【００３３】
平時誘導と避難誘導と照明と消灯の各点灯態様の選択（切換）は、制御装置４１に設けられた選択スイッチ４１Ｓの操作によって行われる。火災等が発生したときの避難誘導用の点灯態様へ切換えるのも、選択スイッチ４１Ｓの操作によって行うことができる。あるいは、上述のように、火災発生を示す信号が手動スイッチ５４の操作により移報装置５３から制御装置４１に入力されると、制御装置４１が自動的に避難誘導用の点灯態様へ切換える。避難誘導用の点灯態様では、制御装置４１は、その制御下にある灯具群Ｇ１（を構成する複数の灯具Ｇａ）について、避難誘導するための点灯制御信号を出力する。上記点灯制御信号は、制御装置４１から他の制御装置４２、４３に対して電力線２４を介して送信されて、他の制御装置４２、４３の制御下にある灯具Ｇａについても同様な点灯制御が行われる。（火災検知センサ５１から各灯具Ｇａへ向けての信号の流れ方向が、図１中矢印で示される。）
なお、移報装置５３の手動スイッチ５４の操作によらずに、火災発生時に自動的に避難誘導することもできる。すなわち、火災検知センサ５１で火災が検知されたときに、火災報知器５２からの火災発生を示す信号が直ちに移報装置５３を介して制御装置４１に入力され、制御装置４１が自動的に避難誘導の点灯制御信号を出力するようにしてもよい。あるいは、移報装置５３を設けずに火災報知機５２と制御装置４１とを電気的に接続せず、選択スイッチ４１Ｓの操作を契機に避難誘導の点灯制御信号を出力するようにしてもよい。なお、避難誘導は流動点滅を利用して行われるが、この点については後述する。
【００３４】
複数の灯具の流動点滅の間隔、つまり点灯（あるいは消灯）している灯具が順次移動していく流動点滅の速度は、避難誘導用の点灯態様と平時誘導用の点灯態様とで異なるようにすることが好ましい。具体的には、例えば、平時誘導用の点灯態様のとき、普通歩行速度以下の速度（例えば、０．５〜１．５ｍ／ｓ）で灯具群の灯具を流動点滅させ、避難誘導用の点灯態様のとき、早歩き以上の速度（例えば、１．５〜２．５ｍ／ｓ）で平時誘導用の点灯態様よりも速く灯具群の灯具を流動点滅させる。これにより、平時誘導の際には進行を急がせないようにしつつ、避難誘導の際には急いで避難することを促すことができる。
【００３５】
あるいは、例えば、平時誘導用の点滅態様のとき、普通歩行速度以上の速度（例えば、１．０〜２．５ｍ／ｓ）で流動点滅させ、避難誘導用の点灯態様のとき、普通歩行速度以下の速度（例えば、０．５〜１．０ｍ／ｓ）で平時誘導用の点灯態様よりも遅く灯具群の灯具を流動点滅させる。これにより、平時誘導の際には、灯具の流動点滅を追いかけさせるように人々を誘導し、異常発生の際には、慌てずに落ち着いて避難するように人々を誘導することができる。
【００３６】
また、複数の灯具の点灯態様として避難誘導用と平時誘導用とで異なるようにする方法として、上述の流動点滅の速度を相違させる以外に、流動点滅中に同時に点灯（あるいは消灯）する灯具が異なるように設定してもよい。例えば、平時誘導用の点灯態様では、灯具群において同時に点灯する灯具が消灯する灯具よりも少なくなるように流動点滅させ、避難誘導用の点滅態様では、灯具群において同時に点灯する灯具が消灯する灯具よりも多い、若しくは同数となるように流動点滅させてもよい。あるいは、例えば、平時誘導用の点灯態様では、灯具群における１つの灯具または互いに連続しない複数の灯具を同時に点灯（あるいは消灯）するように流動点滅させ、避難誘導用の点灯態様では、連続する２つの灯具を灯具群において同時に１箇所または複数箇所点灯（あるいは消灯）するように流動点滅させてもよい。
【００３７】
なお、灯具が複数の点灯色を備える場合には、避難誘導用と平時誘導用とで灯具を異なる点灯色にて流動点滅させてもよい。
【００３８】
図２は、通路６１に対して、非常口６２や灯具群Ｓ１〜Ｓ４（図１の灯具群Ｇ１〜Ｇ３に対応）を設けた例を示す。各灯具群Ｓ１〜Ｓ４を構成する個々の灯具は、符号Ｓａ（図１のＧａ対応）で示してある。各灯具群Ｓ１〜Ｓ４は、通路６１に沿ってかつ正面の非常口６２に向かうように配設されている。灯具群Ｓ１は、天井６１ａに配設され、灯具群Ｓ２、Ｓ３は左右側壁面６１ｂ、６１ｃに配設され、灯具群Ｓ４は歩行面（床面）６１ｄに配設されている。なお、灯具群は、後述するように、通路の壁、床、階段などに設置した手摺り内に複数の灯具を配設した手摺り灯具群とすることもできる。図２は、あくまで一例であり、灯具群としては、灯具群Ｓ１〜Ｓ４及び手摺り灯具群のうち任意の１つのみあるいは任意の２以上の組み合わせとすることが可能である。
【００３９】
次に、図３、図４を参照しつつ、例えば劇場等の施設を構成する建物（建屋）Ｙ１内での点灯制御について説明する。建物Ｙ１の外壁が符号７１で示され、外壁７１内に構成された内壁（仕切壁）７２によって、劇場を構成する大きな室７３が区画されている。そして、外壁７１と内壁７２との間は、室７３を取り巻く環状の通路７４とされている。環状の通路７４のうち、図中上下方向に伸びる長い左右の通路が符号７４ａ、７４ｂで示され、図中左右方向に伸びる短い通路が符号７４ｃ、７４ｄで示される。内壁７２には、通路７４ａ、７４ｂあるいは７４ｄから室７３へ出入りするための入退室口７５が構成されている。
【００４０】
外壁７１には、入口を兼用した２つの出入口７６、７７と、２つの非常口７８、７９が構成されている。すなわち、図３中、通路７４ａの下端側でかつ通路７４ｄの右端側には、出入口７６が構成されている。同様に、通路７４ｂの上端側でかつ通路７４ｃの左端側には、出入口７７が構成されている。さらに、通路７４ａの上端側でかつ通路７４ｃの右端側には、非常口７８が構成されている。また、通路７４ｂの下端側でかつ通路７４ｄの左端側には、非常口７９が構成されている。
【００４１】
外壁７１には、通路７４に臨ませて手摺りが取り付けられ、この手摺り内に灯具群Ｔ１〜Ｔ４（図１の灯具群Ｇ１〜Ｇ３に対等）が配設されている。また、内壁７２には、通路７４に臨ませて手摺りが取り付けられ、この手摺り内に灯具群Ｔ５〜Ｔ８（図１の灯具群Ｇ１〜Ｇ３対応）が配設されている。なお、各灯具群Ｔ１〜Ｔ８を構成する個々の灯具は符号Ｔａ（図１のＧａ対応）で示してある。
【００４２】
すなわち、外壁７１には、灯具群Ｔ１が通路７４ａに沿って配設され、灯具群Ｔ２が通路７４ｂに沿って配設され、灯具群Ｔ３が通路７４ｃに沿って配設され、灯具群Ｔ４が通路７４ｄに沿って配設されている。また、灯具群Ｔ５が通路７４ａに沿って配設され、灯具群Ｔ６が通路７４ｂに沿って配設され、灯具群Ｔ７が通路７４ｃに沿って配設され、灯具群Ｔ８が通路７４ｄに沿って配設されている。
【００４３】
室７３において催し物等の行事が開演される前に人々が建物Ｙ１に入場するときや、室７３において催し物等の行事が実行されているとき、各灯具群Ｔ１〜Ｔ８は灯具Ｔａを連続点灯する照明用とされる（流動点滅なし）。
【００４４】
室７３での催し物等の行事が終了したときは、平時誘導の点灯態様とされる。すなわち、図３の破線矢印で示すように、入退室口７５から最寄りの出入口７６あるいは７７に向けて、灯具群Ｔ１〜Ｔ８における複数の灯具Ｔａが流動点滅される。すなわち、例えば通路７４ａに着目すると、灯具群Ｔ１及びＴ５を構成する複数の灯具Ｔａが、出入口７６に向けて（図３中、上側から下側に向けて）、順次点灯（あるいは順次消灯）が繰り返される。また、通路７４ｄに臨む灯具群Ｔ４及びＴ８を構成する複数の灯具Ｔａが、出入口７６に向けて（図３中、右側から左側に向けて）、順次点灯（あるいは順次消灯）が繰り返される。また、通路７４ｂに臨む灯具群Ｔ２及びＴ６を構成する複数の灯具Ｔａが、出入口７７に向けて（図３中、下側から上側に向けて）、順次点灯（あるいは順次消灯）が繰り返される。また、通路７４ｃに臨む灯具群Ｔ３及びＴ７を構成する複数の灯具Ｔａが、出入口７７に向けて（図３中、左側から右側に向けて）、順次点灯（あるいは順次消灯）が繰り返される。
【００４５】
火災が発生したときは、避難誘導の点灯態様へと切換えられる。すなわち、図４に示すように、避難口となる最寄りの出入口７６、７７あるいは非常口７８、７９に向けて誘導するように、灯具群Ｔ１〜Ｔ８を構成する複数の灯具Ｔａが流動点滅される。避難誘導時には、図３と図４を比較して明白なように、各通路７４ａ〜７４ｄについて、その中間部位を境にして、案内方向が逆転した状態とされる（図４中、白抜き矢印によって、同じ通路でも避難方向が相違していることを示しているが、この白抜き矢印は説明のために示したもので、実際には存在しないものである）。すなわち、例えば通路７４ａに着目すると、灯具群Ｔ１及びＴ５を構成する複数の灯具Ｔａのうち、図４中下側に配置された灯具Ｔａが、出入口７６に向けて流動点滅され、図４中上側に配置された灯具Ｔａが、非常口７８に向けて流動点滅される。また、通路７４ｄに臨む灯具群Ｔ４及びＴ８を構成する複数の灯具Ｔａのうち、図４中右側に配置された灯具Ｔａが、出入口７６に向けて流動点滅され、図４中左側に配置された灯具Ｔａが、非常口７９に向けて流動点滅される。また、通路７４ｂに臨む灯具群Ｔ２及びＴ６を構成する複数の灯具Ｔａのうち、図４中上側に配置された灯具Ｔａが、出入口７７に向けて流動点滅され、図４中下側に配置された灯具Ｔａが、非常口７９に向けて流動点滅される。また、通路７４ｃに臨む灯具群Ｔ３及びＴ７を構成する複数の灯具Ｔａのうち、図４中左側に配置された灯具Ｔａが、出入口７７に向けて流動点滅され、図４中右側に配置された灯具Ｔａが、非常口７８に向けて流動点滅される。
【００４６】
なお、上記実施形態では、平時誘導用の点灯態様として、複数の灯具に施設の退場経路を示す流動点滅をさせて退場経路誘導を行うようになっているが、例えば、複数の灯具に施設の入場経路を示す流動点滅をさせて入場経路誘導を行うようにすることもできる。具体的には、例えば、室７３において催し物等の行事が開演される前において、灯具群Ｔ４及びＴ８の複数の灯具Ｔａを、出入口７６側から非常口７９側に向けて流動点滅させ、灯具群Ｔ２及びＴ６における複数の灯具Ｔａを、出入口７７側から非常口７９側に向けて流動点滅させ、灯具群Ｔ３及びＴ７の複数の灯具Ｔａを、出入口７７側から非常口７８側に向けて流動点滅させ、灯具群Ｔ１及びＴ５の複数の灯具Ｔａのうち、出入口７６寄りに配置された灯具Ｔａを、出入口７６側から非常口７８側に向けて流動点滅させ、非常口７８側に配置された灯具Ｔａを、非常口７８側から出入口７６側に向けて流動点滅させることにより、出入口７６，７７から建物Ｙ１内に入場する人々を室７３の入退室口７５に誘導することができる。
【００４７】
また、一部の灯具に施設の入場経路を示す流動点滅をさせて入場経路誘導を行うと同時に、他の灯具に施設の退場経路を示す流動点滅をさせて退場経路誘導を行うこともできる。具体的には、例えば、灯具群Ｔ２及びＴ６における複数の灯具Ｔａを、出入口７７側から非常口７９側に向けて流動点滅させると共に、灯具群Ｔ３及びＴ７の複数の灯具Ｔａを、連続消灯（あるいは連続点灯）させることにより、出入口７７から入場した人々を通路７４ｂの入退室口７５に誘導し、同時に、灯具群Ｔ４及びＴ８の複数の灯具Ｔａを、非常口７９側から出入口７６側に向けて流動点滅させると共に、灯具群Ｔ１及びＴ５の複数の灯具Ｔａを、非常口７８側から出入口７６側に向けて流動点滅させることにより、通路７４ａ、７４ｄの入退室口７５から退室した人々を出入口７６に誘導することができる。
【００４８】
さらに、平時誘導用の点灯態様を複数パターン設定しておき、状況に応じて複数のパターンから１の点灯態様を選択することもできる。
【００４９】
なお、本発明が適用される施設としては、上述の劇場に限られず、展示場、病院、役所、競技場、水族館、コンサートホール、講堂等の適宜のものを含むものである。
【００５０】
図５、図６は、本発明の別の実施形態を示すものであり、図３、図４の変形例に相当する。図５に示すように、平時誘導用の点灯態様においては、複数の灯具Ｔａが巡回経路の巡回方向に向かうように流動点滅される。なお、図３、図４における構成要素と同一構成要素には同一符号を付してその重複した説明は省略する。
【００５１】
図５、図６の例では、建物Ｙ２は例えば展示場等の施設であり、建物Ｙ２の室７３が、さらに仕切壁８１によって４つの室７３ａ〜７３ｄに仕切られている。各室７３ａ〜７３ｄは、展示物が展示されて、展示物を順次観賞してもらうための態様となっている。外壁７１には、１つの入口８２と、１つの出口８３と、２つの非常口８４、８５とが設けされている。また、図３、図４の場合に比して、通路７４Ｃに臨む内壁には、手摺り及び灯具群Ｔ７が設けられていない。
【００５２】
展示物の観賞者は、入口８２から順次、通路７４ａ→入退室口７５ａ１→室７３ａ→入退室口７５ａ２→通路７４ａ→入退室口７５ｂ１→室７３ｂ→入退室口７５ｂ２→通路７４ａ→通路７４ｄ→通路７４ｂ→入退室口７５ｃ１→室７３ｃ→入退室口７５ｃ２→通路７４ｂ→入退室口７５ｄ１→室７３ｄ→入退室口７５ｄ２→通路７４ｂ→出口８３を通るようになっている。このような観賞順路（巡回経路）を案内するために、灯具群Ｔ１、Ｔ２、Ｔ４、Ｔ５、Ｔ６、Ｔ８のうち、図５中破線矢印を示した灯具Ｔａが流動点滅される、つまり図５中破線矢印の方向に向けて順次点灯（あるいは順次消灯）が繰り返され、さらに、灯具群Ｔ１、Ｔ２、Ｔ５、Ｔ６のうち、図５中破線矢印を示していない灯具Ｔａが、連続消灯される。なお、図５に示す例では、灯具群Ｔ３を構成する複数の灯具Ｔａは、連続点灯あるいは連続消灯とされている。
【００５３】
建物Ｙ２において火災等の異常が発生すると、灯具群Ｔ１、Ｔ２、Ｔ４、Ｔ５、Ｔ６、Ｔ８は、図６中破線矢印で示すような灯具Ｔａの流動点滅が行われる、つまり図６中破線矢印の方向に向けて順次点灯（あるいは順次消灯）が繰り返される。すなわち、灯具群Ｔ１、Ｔ２、Ｔ４、Ｔ５、Ｔ６、Ｔ８は、避難口となる入口８２、出口８３、非常口８４、８５のうち最寄りの避難口に向けて案内するように流動点滅が行われる。なお、図６中、白抜き矢印によって、同じ通路でも避難方向が相違していることを示しているが、この白抜き矢印は説明のために示したもので、実際には存在しないものである。
【００５４】
なお、平時誘導用の点灯態様において、複数の灯具が巡回経路の巡回方向に向かうように流動点滅されるものとして、上述したような展示場の観賞順路の案内に限られるものでなく、施設内の所定場所に順次移動するものとして、例えば役所の受付や病院の検査室などの巡回経路を案内するものにも適用することができる。
【００５５】
図７、図８は、例えば地下歩道、トンネル、橋等においてよく見られるような通路に対して、本発明を適用した例を示す。本例は地下歩道であって、対面通行式とされた２つの通路（歩行路）９１と９２とを有する。図７及び図８中、左側の通路９１は、上側から下側に向けて歩行すべき一方通行用となっており、右側の通路９２は、下側から上側に向けて歩行すべき一方通行用となっている。つまり、対面通行路とされた通路９１と９２とは、右側通行として設定されている。なお、図７及び図８には、両通路９１，９２の間には、その境界を示すための境界線９３が現されているが、この境界線９３は説明のために示したもので、実際には存在しないものであるが、実際に境界線９３を歩行面に付してもよく、あるいは、両通路９１，９２の間に柱、仕切壁、柵、中央分離帯などを設置してもよい。
【００５６】
通路９１には、地上へ出るための出口階段９５、９６が連なっている。同様に、通路９２には、地上へ出るための出口階段９７、９８が連なっている。通路９１、９２と出口階段９５〜９８との連絡口（避難口）が、符号９５ａ〜９８ａで示される。
【００５７】
通路９１側の側壁面に沿って、灯具群Ｕ１が配設されている。また、通路９２側の側面に沿って、灯具群Ｕ２が配設されている。灯具群Ｕ１、Ｕ２は、図１における灯具群Ｇ１〜Ｇ３に相当するものである。各灯具群Ｕ１、Ｕ２を構成する複数の灯具が符号Ｕａ（図１におけるＧａ対応）で示される。
【００５８】
通路９１側の連絡口９５ａ、９６ａから出口階段９５、９６へ続く通路の側壁面には、灯具Ｕｂが配設されている。同様に、通路９２側の連絡口９７ａ、９８ａから出口階段９７、９８へ続く通路の側壁面には、灯具Ｕｃが配設されている。灯具Ｕｂは、実質的に灯具群Ｕ１に含まれ、灯具Ｕｃは、実質的に灯具群Ｕ２に含まれるが、避難誘導用の点灯態様のときにのみ流動点滅を行う灯具として機能される一方、平時誘導用の点灯態様のときは、点灯されたまま（あるいは消灯されたまま）とされる。
【００５９】
通常時には、図７に示すように、灯具群Ｕ１、Ｕ２は平時誘導の点灯態様とされて、各通路９１、９２に設定された一方通行方向に向けて流動点滅される（図７中破線矢印で示す方向へ誘導する流動点滅）。なお、灯具Ｕｂ、Ｕｃは、点灯（あるいは消灯）された状態が維持される。特に、図７の場合は、一般的な左側通行とは逆となる右側通行として設定されていることから、進行方向を明確に認識させるべく、灯具群Ｕ１、Ｕ２による平時誘導のための流動点滅が行われる。
【００６０】
火災等の異常が発生したときは、図８に示すように、灯具群Ｕ１、Ｕ２が避難誘導の点灯態様とされる。すなわち、最寄りの連絡口９５ａ〜９８ａに向かうように流動点滅されて、通路９１，９２から連絡口９５ａ〜９８ａに誘導する。また、灯具Ｕｂは、灯具群Ｕ１と協働して出口階段９５，９６側に向けて流動点滅されて、通路９１の連絡口９５ａ，９６ａから出口階段９５，９６に誘導する。同様に、灯具Ｕｃは、灯具群Ｕ２と協働して出口階段９７，９８側に向けて流動点滅されて、通路９２の連絡口９７ａ、９８ａから出口階段９７，９８に誘導する。なお、図８中、白抜き矢印によって、同じ通路でも避難方向が相違していることを示しているが、この白抜き矢印は説明のために示したもので、実際には存在しないものである。
【００６１】
なお、本発明は、許容される進行方向（通行方向）が順次切換えられる交互通行の場合に、許容される進行方向に向かうように流動点滅させる平時誘導を行うようにすることもできる。
【００６２】
図９〜図１１は、手摺りに対して、その長手方向に沿って複数の灯具を配設した例を示す。なお、以下の説明では、手摺りに配設される灯具が、図１に示す電力線２１に対して接続された灯具Ｇａである場合に着目したものとなっている。また、２線式の商用電源を利用することを前提に、対となる電力線を符号２１Ａ、２１Ｂで示してある（図１では、２１Ａと２１Ｂとの一方のみが電力線２１として示されている）。
【００６３】
まず、図１０に示すように、手摺り１００は、下方が開口された芯材１０１と、芯材１０１を被覆する笠木１０２とを有している。手摺り１００は、取付ブラケット１０３を介して、壁面（壁面構成部材）Ｈに固定されている。また、手摺り１００の端部は、端部ブラケット１０４により覆われると共に、端部ブラケット１０４およびカバー部材１０５を介して壁面Ｈに連なるようにされている。
【００６４】
芯材１０１内には、その下端開口部において、保持ケース１０５を介して灯具Ｇａが保持されている。灯具Ｇａは、それぞれ基板に配設された発光部となる多数のＬＥＤ２８および制御部ＲＣ（図１参照）を有していて、ＬＥＤ２８の発光により手摺り１００の下方側が照射される。
【００６５】
図１１に示すように、壁面Ｈの裏側の壁１２０内には、電力線２１Ａ、２１Ｂが配設されている。この電力線２１Ａ、２１Ｂは、壁１２０に形成された通路側への開口凹部１２０ａから、壁面Ｈ、カバー部材１０５を貫通して端部ブラケット１０４内に配設された後、芯材１０１内に配設されている。
【００６６】
各灯具Ｇａからは、２本のリード線１１０Ａ、１１０Ｂが導出されている。リード線１１０Ａは電力線２１Ａに接続され、リード線１１０Ｂは電力線２１Ｂに接続されており、この接続部分が図１０において符号αで示される。このように、複数の灯具Ｇａがその発光部２８や制御部ＲＣを含めて手摺り１００内に配設されると共に、電力線２１Ａ、２１Ｂも手摺り１００内に配設され、しかも電力線２１Ａ、２１Ｂと複数の灯具Ｇａから伸びるリード線１１０Ａ、１１０Ｂとの接続部αも手摺り１００内に設定されている。このように、手摺り１００内のスペースを有効に利用した配設構造により、外観上の見栄え向上やコンパクトな配設とする上で好ましいものとなる。
【００６７】
以上実施形態について説明したが、本発明は、実施形態に限定されるものではなく、特許請求の範囲の記載された範囲において適宜の変更が可能であり、例えば次のような場合をも含むものである。灯具Ｇａの発光部としては、ＬＥＤに限らず、蛍光灯を用いる等、適宜のものを使用できる。異常時（非常時）としては、火災時に限らず、地震発生時等、避難した方が好ましいと想定される適宜の状態を含めることができる。また、上述の群集誘導システムでは、平時誘導用及び避難誘導用の点灯態様をそれぞれ１パターン設定したが、例えば、平時誘導用の点灯態様を複数パターン設定しておき、状況に応じて１の平時誘導用の点灯態様を選択するように形成されてもよく、同様に避難誘導用の点灯態様を複数パターン設定しておき、状況に応じて１の避難誘導用の点灯態様を選択するように形成されてもよい。
【００６８】
また、上述の群集誘導システムでは、各制御装置間において電力線搬送通信により点滅制御信号の送受信が行われているが、一部の制御装置間において電力線搬送通信が困難な箇所については、無線通信や有線通信など他の通信手段が用いられてもよい。また、上述の群集誘導システムでは、一のマスター制御装置と一又は複数のスレーブ制御装置とにより構成された一の制御装置群が備えられているが、複数の制御装置群が備えられていてもよく、これに加え、各制御装置群のマスター制御装置と通信可能な上位制御装置が備えられて、該上位制御装置から各マスター制御装置へ点滅制御信号が送信されてもよい。
【００６９】
なお、本発明の目的は、明記されたものに限らず、実質的に好ましいあるいは利点として表現されたものを提供することをも暗黙的に含むものである。
【産業上の利用可能性】
【００７０】
本発明は、灯具を利用して、通常時における所望方向への経路案内を行いつつ、非常時における避難誘導を確実に行うことができる。
【符号の説明】
【００７１】
Ｇ１〜Ｇ３：灯具群
Ｇａ：灯具
ＲＣ：制御部
Ｓ１〜Ｓ４：灯具群
Ｓａ：灯具
Ｔ１〜Ｔ８：灯具群
Ｔａ：灯具
Ｕ１〜Ｕ８：灯具群
Ｕａ、Ｕｂ、Ｕｃ：灯具
２１〜２４：電力線
２８：発光部
３１〜３３：電源コンセント
４１〜４３：制御装置
５１：火災検知センサ
５２：火災報知器
５３：移報装置
５４：手動スイッチ
６１：通路
７４：通路
７６、７７：出入口（避難口）
７８、７９：非常口（避難口）
８２：入口（避難口）
８３：出口（避難口）
８４、８５：非常口（避難口）
９１、９２：通路（一方通行）
９５〜９８：出口階段
９５ａ、９６ａ、９７ａ、９８ａ：連絡口（避難口）
１００：手摺り
１０１：芯材
１０２：笠木
２１Ａ、２１Ｂ：電力線
１１０Ａ：１１０Ｂ：リード線
【図１】
2018156221.tif 000003
【図２】
2018156221.tif 000004
【図３】
2018156221.tif 000005
【図４】
2018156221.tif 000006
【図５】
2018156221.tif 000007
【図６】
2018156221.tif 000008
【図７】
2018156221.tif 000009
【図８】
2018156221.tif 000010
【図９】
2018156221.tif 000011
【図１０】
2018156221.tif 000012
【図１１】
2018156221.tif 000013